(57)【特許請求の範囲】
【請求項１】
横長の長方形状に形成された概略板状物で、
表面(1)側に、横方向全長に亘って延びる凹入溝(2)が上下方向に複数段形成され、
これらの凹入溝(2)のうち少なくとも一つの凹入溝が、天然繊維や天然素材で形成された織布か不織布、葦・ススキ・竹等の未利用植物や、間伐材のような未使用植物、廃棄木材のような廃棄植物等の、チップ状加工物や粉粒状加工物の単種類または混合物に植物種子を混合した種子混合材(M)を受容させる深溝(20)に形成され、該深溝(20)に種子混合材(M)が予め挿入してあり、
背面(11)側には、打設コンクリートを受け止めるための横方向全長に亘って延びるコンクリート受け溝(12)が上下方向に複数段形成されている構築用表層型枠。
【請求項２】
横長の長方形状に形成された概略板状物で、
表面(1)側に、横方向全長に亘って延びる凹入溝(2)が上下方向に複数段形成され、
これらの凹入溝(2)のうち少なくとも一つの凹入溝が、天然繊維や天然素材で形成された織布か不織布、葦・ススキ・竹等の未利用植物や、間伐材のような未使用植物、廃棄木材のような廃棄植物等の、チップ状加工物や粉粒状加工物の単種類または混合物に植物種子を混合した種子混合材(M)を受容させる深溝(20)に形成され、該深溝(20)に種子混合材(M)が予め挿入してあり、
背面(11)側には、打設コンクリートを受け止めるための横方向全長に亘って延びるコンクリート受け溝(12)が上下方向に複数段形成されている型枠であって、
下部型枠の上辺部(31)における所定長さ部分(a)の上端側に、横方向全長に亘って延びる最薄肉部(c)が形成され、型枠どうしの上下方向積み重ね状態において、上部型枠の下辺部(32)における所定長さ部分(b)との間に、前記植物種子混合材(M)を受容させる深溝(20a)が形成される構造としてある構築用表層型枠。
【請求項３】
型枠の長辺及び短辺が、構築用の通常型枠の寸法とほぼ同じか、そのほぼ整数倍若しくは整数分の１のサイズに形成されている請求項１または２に記載の構築用表層型枠。
【発明の詳細な説明】
【技術分野】
【０００１】
本発明は、山の傾斜面や、盛り土・切土の傾斜面等の土砂崩れを防ぐための土留め工事や、ダム壁や治水壁等のコンクリート壁造成工事等におけるコンクリート打設工事において、打設コンクリートの表層材として残存させておくために使用する構築用型枠に関するものである。
【背景技術】
【０００２】
従来から一般に普及し汎用されているコンクリート型枠は、硬質で厚手の木質合板若しくは鋼板を面板とし、その周縁部に角材やフランジ金具を連結し、中間部分にも補強用の角材やリブ金具を立設した構造としたものが大半を占めている。
【０００３】
そして、これらの従来の一般的なコンクリート型枠は、コンクリートの打設・硬化後に打設したコンクリート面から剥離除去するものである。また、これらの一般的な型枠は、コンクリートを受け止める盤面が、木質合板や鋼板の平板状のものであるため打設コンクリート硬化後の型枠除去面は、変化に乏しいコンクリートの平坦面を呈するものとなっていた。
【０００４】
そこで、本出願人は、下記非特許文献１に記載のような型枠のコンクリートの受け面に凹凸模様を形成し、打設したコンクリートの硬化後に型枠を除去すると、コンクリートの表面に、型枠の凹凸模様と同じ凹凸模様が形成されるようにしたコンクリート型枠を開発し、提案するとともに実施している。
【０００５】
また、このような打設コンクリートの硬化後に型枠を除去する一般的なコンクリート擁壁の形成手段としては、本出願人の出願に係る下記特許文献１の、殊に図１及び図３にみられるように、コンクリート打設予定空間の前面に立設した支柱（主支柱１）に対して、コンクリート打設予定空間側にコンクリート受け面を向けて、多数のコンクリート型枠Ｃを上下左右に密着させながら連結して、打設コンクリートの受け面を形成していた。
【０００６】
他方、このような打設コンクリートの硬化後に型枠を除去するという一般的な型枠除去作業を必要としないコンクリート擁壁の形成手段として、本出願人は下記特許文献２の、殊に図１，図２及び図５，図９にみられるように、コンクリート打設予定空間Ａの前面に立設した支柱（建込みフレーム２）に対して、コンクリート型枠（表装型枠１）のコンクリート打設予定空間Ａ側に、コンクリート型枠１の背面側を向けて、即ち、背面側をコンクリート受け面としてコンクリート型枠１を、上下左右に密着させながら多数連結し、これらの型枠１の背面側で打設コンクリートを受け止めさせることによって、打設コンクリートの表面に型枠１を連結一体化させて、打設コンクリートの硬化後も型枠を除去することなく残存させておき、型枠１をコンクリートの表面材として使用するようにした工法についても発案し提案している。
【特許文献１】特開平６−２００５１３号公報
【特許文献２】特開２００４−１６２４３３号公報
【非特許文献１】実公平２−１９４７０号公報
【発明の開示】
【発明が解決しようとする課題】
【０００７】
しかしながら、前２者（非特許文献１及び特許文献１）の、打設コンクリートの硬化後に型枠を除去するという方法にあっては、前記の型枠除去作業と、除去した型枠の表面に付着したコンクリートの除去清浄化作業とが必須の作業であってこれを省略することができないという課題を有し、更に、型枠除去後のコンクリート表面、即ち、擁壁の表面が、適宜の凹凸を有するものであっても、コンクリートの地肌を呈したものであるため、美観に欠ける点で好ましいものとは言えない。
【０００８】
他方、後者（特許文献２）の、型枠をコンクリートの表面に残存させて表装体として使用する方法のものにあっては、型枠除去作業と、付着コンクリートの清掃作業とを必要としない点で大いに好ましい方法ではあるが、擁壁の表面が、残存させた型枠そのものであるため、この場合も変化に乏しく、美観に欠けるという課題を払拭することはできないものであった。
【０００９】
そこで、本発明は、このような先行開発したコンクリート擁壁形成手段が有していた課題を一挙に解決することができる手段を開発したもので、前記後者の方法のように、コンクリートを打設した後は、コンクリートを受け止める型枠を取り外すことなく、打設コンクリートの硬化後もコンクリート面の表層材としてそのままコンクリート面に残存させておき、その後において、何らの追加的な作業をも必要とすることなく、月日の経過とともに、コンクリートの表面に草花や低木が極めて自然な状態で発芽して次第に生育し、緑で覆われることとなる土留め壁や擁壁を形成することができる手段をここに提供しようとするものである。
【課題を解決するための手段】
【００１０】
この目的を達成するために講じた本発明の請求項１に記載の構築用表層型枠の構成を、実施例において使用した符号を用いて説明すると、横長の長方形状に形成された概略板状物で、表面１側に、横方向全長に亘って延びる凹入溝２が上下方向に複数段形成され、これらの凹入溝２のうち少なくとも一つの凹入溝が、天然繊維や天然素材で形成された織布か不織布、葦・ススキ・竹等の未利用植物や、間伐材のような未使用植物、廃棄木材のような廃棄植物等の、チップ状加工物や粉粒状加工物の単種類または混合物に植物種子を混合した種子混合材Ｍを受容させる深溝２０に形成され、該深溝２０に種子混合材Ｍが予め挿入してあり、背面１１側には、打設コンクリートを受け止めるための横方向全長に亘って延びるコンクリート受け溝１２が上下方向に複数段形成されている構成としたものである。
【００１１】
請求項２に記載の構築用表層型枠の構成は、横長の長方形状に形成された概略板状物で、表面１側に、横方向全長に亘って延びる凹入溝２が上下方向に複数段形成され、これらの凹入溝２のうち少なくとも一つの凹入溝が、天然繊維や天然素材で形成された織布か不織布、葦・ススキ・竹等の未利用植物や、間伐材のような未使用植物、廃棄木材のような廃棄植物等の、チップ状加工物や粉粒状加工物の単種類または混合物に植物種子を混合した種子混合材Ｍを受容させる深溝２０に形成され、該深溝２０に種子混合材Ｍが予め挿入してあり、背面１１側には、打設コンクリートを受け止めるための横方向全長に亘って延びるコンクリート受け溝１２が上下方向に複数段形成されている型枠であって、下部型枠の上辺部３１における所定長さ部分ａの上端側に、横方向全長に亘って延びる最薄肉部ｃが形成され、型枠どうしの上下方向積み重ね状態において、上部型枠の下辺部３２における所定長さ部分ｂとの間に、前記植物種子混合材Ｍを受容させる深溝２０ａが形成される構成としたものである。
【００１２】
請求項３に記載の構成は、請求項１または２に記載の構築用表層型枠における、型枠の長辺及び短辺が、構築用の通常型枠の寸法とほぼ同じか、そのほぼ整数倍若しくは整数分の１のサイズに形成されている構成としたものである。
【００１３】
本発明においては、植物種子混合材Ｍが、天然繊維や天然素材で形成された織布か不織布、葦・ススキ・竹等の未利用植物や、間伐材のような未使用植物、廃棄木材のような廃棄植物等の、チップ状加工物や粉粒状加工物の単種類または混合物とした。
【発明の効果】
【００１４】
本発明は、背面側をコンクリート受け面として使用する型枠であって、背面側を打設コンクリートと結合させて擁壁の表面に長期間に亘って残存させておくために、打設コンクリートを受け止めるための横方向全長に亘って延びるコンクリート受け溝を上下方向に複数段形成してあるものとし、表面側には、横方向全長に亘って延びる凹入溝を上下方向に複数段形成してあるものとし、これら複数の凹入溝のうち少なくとも一つの凹入溝を植物種子を混合した種子混合材を受容させるに足る深溝としてあるものとすることによって、この深溝に、植物種子を混入した植物種子混合材を予め挿入してあるものとしておくことによって、土留め壁や擁壁の形成に際して、この型枠を使用するだけで、その後において、何らの事後的作業をも必要とすることなく、そのままコンクリート面に残存させておくだけで、散水や降雨によって、深溝内に受け止められた水分により、植物種子が発芽し、月日の経過とともに成長し、擁壁の表面を草類や花類や低木で覆われるようにしたものであるから、極めて自然環境に優しい土留め壁や擁壁を得ることができるという顕著な効果を有するものである。
【００１５】
更に、型枠の表面側には、該植物種子混合材を入れた深溝のみならず、該深溝とは別に横方向全長に亘って延びる凹入溝を上下方向に複数段形成してあるので、これらの溝にも自然に塵埃類が入り込み堆積して雑草類が成長し、月日の経過に伴って、全体として擁壁の表面を雑草類や花類や低木類で覆われることとなり、極めて自然環境に優しい土留め壁や擁壁を得ることができるという効果を期待することができるものである。
【００１６】
更に、本発明は、請求項２に記載のように、型枠の上辺部における所定長さ部分の上端側に、横方向全長に亘って延びる最薄肉部を形成し、型枠どうしの上下方向積み重ね状態において、下辺部における所定長さ部分との間に、種子混合材を受容させるに足る深溝が形成される構成としておくと、この部分の深溝にも種子混合材を収容させておくことができるので、更に、表面緑化の促進に寄与させることができるという効果を、上記効果と併せて期待できるものである。
【００１７】
請求項３に記載のように、型枠の長辺及び短辺を、構築用の通常型枠の寸法とほぼ同じか、そのほぼ整数倍若しくは整数分の１のサイズに形成してあるものとしておくと、何らかの計算間違い等で型枠に不足が生じた時、工事を中断することなく、通常型枠で臨時的に補うことができる利点がある。
【００１８】
請求項１及び２の構成のように、深溝に入れる植物種子混合材を、天然繊維や天然素材で形成された織布か不織布、葦・ススキ・竹等の未利用植物や、間伐材のような未使用植物、廃棄木材のような廃棄植物等の、チップ状加工物や粉粒状加工物の単種類か混合物を使用することによって、深溝内への充填の容易化と、吸水保湿の良好性による混入種子の発芽の促進と、発芽植物の幼根の生長促進と、自然への還元の良好性とを、確実に早期に期待することができる。
【発明を実施するための最良の形態】
【００１９】
本発明にいう構築用表層型枠の実施に当たっては、型枠を形成する素材として、コンクリートの押し出し成形、コンクリートに天然繊維，化学繊維，葦・ススキ・竹等の未利用植物の繊維，間伐材や廃棄植物の繊維，ガラス繊維等を混入して強化した繊維混入コンクリートを押し出し成形したものが好ましい。さらに、他の素材として、アルミ材の押し出し成形、硬質合成樹脂材の押し出し成形、ガラス繊維を混合したガラス強化合成樹脂材の押し出し成形品としてもよい。このような押し出し成形品とするのが、押し出した長尺物を所望の定寸にカットすればよいので生産性向上のために好ましい。また、植物種子混合材は、ソーセージ状に可撓性を維持させた状態で所定の太さに押し出した柔軟棒状体の周りを、天然繊維製の糸状物によって網筒状に包んであるものとし、型枠の横方向長さ等に合わせて適宜に切断して使用することができるものとしておくのが好ましい。言うまでもなく、太さは、深溝内に押し込んで安定する程度のものであることが好ましい。
【実施例】
【００２０】
以下本発明の実施例について図面に基づいて説明する。図中、図１乃至図３は、本発明の第１実施例の構築用表層型枠を示す図であって、図１はその表面側の斜視図、図２は同側面図、図３は背面側の斜視図である。
【００２１】
而して、該実施例に示した型枠Ｆは、図２の側面図にみられる凹凸を備えた形状とされ全体として平板状に、コンクリート素材や繊維強化コンクリート素材を押し出して成形し、後述する所要の長さに切断したものである。
【００２２】
この実施例に示した平板形の型枠Ｆは、上下方向の長さ＝３００ｍｍ、左右方向の長さ＝１５００ｍｍ、厚さ２０ｍｍとしたものである。この型枠Ｆの平面寸法は、現在一般的に使用されている合板製型枠の大きさ＝上下方向の長さ＝９００ｍｍ、左右方向の長さ＝１５００ｍｍ、または１８００ｍｍに形成してもよいが、コンクリート押出機の大型化等を考慮して、合板製型枠の整数分の１としておくのが運搬や現場での配置作業が容易である点で好ましい。この上下方向の長さを３００ｍｍとした点は、金属製型枠であるメタルフォームの寸法と同じ寸法である点でも使用し易いという利便性がある。このように、上下方向の長さを合板製型枠（コンパネ）の３分の１または２分の１等の整数分の１または整数倍としておき、また、横方向の長さについても、メタルフォームの寸法と同じ１５００ｍｍまたは１８００ｍｍに形成しておくのが、合板型枠や金属型枠と同様の工事方法で使用することができる点で好ましい。
【００２３】
而して、この実施例に示した型枠Ｆは、図１及び図２のように、表面１側には、横方向全長に亘って延びる凹入溝２が上下方向に７段形成されていて、そのうちの上下方向ほぼ中間部に位置する凹入溝を、植物の種子を混合した種子混合材Ｍを挿入した時、容易にはみ出すことなくしっかりと受け止めさせるのに充分な深さを備えた深溝２０に形成してある。また、背面１１側には、図２及び図３のように、打設コンクリートを受け止めさせるための横方向全長に亘って延びるコンクリート受け溝１２を上下方向に３段形成してある。
【００２４】
また、上辺部３１の上下方向所定長さ部分ａと下辺部３２の上下方向所定長さ部分ｂとの肉厚を、横方向全長に亘って他の部分に比して薄く形成してあるものとし、更に、上辺部３１の所定長さ部分ａの下端部分には、背面側に向かって突出する段部３３を形成してあるものとし、型枠Ｆ，Ｆを上下方向に積み重ねた時に、下辺部３２の所定長さ部分ｂの下端面３４が該段部３３の上に載置させて支持される構造としたものである。
【００２５】
このようにした該第１実施例に示した型枠Ｆは、前記上辺部３１の上下方向所定長さ部分ａの上部に更に薄肉とした部分ｃを形成してあるものとし、型枠Ｆ，Ｆどうしを上下方向に積み重ねた時、表面１側に形成してある前記上辺部３１の上下方向所定長さ部分ａと下辺部３２の上下方向所定長さ部分ｂとの間に、肉厚を薄くした部分ｃによって、上下の型枠Ｆ，Ｆどうしの積み重ね部分に、前記深溝２０と同様形状の深溝２０ａが形成できるようにしてある。
【００２６】
このようにした型枠は、表面１側に形成した上下方向７段の凹溝２と、背面１１側に形成した上下方向３段のコンクリート受け溝１２とによって、植物種子混合材Ｍを嵌め込む深溝２０のみならず、型枠の表面全体で緑化を促進し易くし、背面側では打設コンクリートとの接触面の大面積化と剥離防止作用とをさせ、更には、運搬時の軽量化と組み立て作業の容易化等を総合的に図ったものである。
【００２７】
このようにした型枠Ｆの表面側１の深溝２０に入れる素材としては、天然繊維や天然素材で形成された古紙や廃棄布のような紙類や・織布類や編組糸・不織布等の繊維類、葦・ススキ・竹等の未利用の主として稲科の植物や、間伐材のような未使用植物や古木材のような廃棄植物繊維類を破砕加工したり粉砕加工することによってチップ状や粉粒物状とした素材やその混合物に、雑草の種や花の種や低木の種等の植物種子を混入した植物種子混合材Ｍを使用する。この混合材Ｍは、擁壁等のコンクリート表面に取り付けられた型枠Ｆに対して、消防ホースによる散水のように、粉粒体を放散させて、型枠Ｆの深溝２０や他の溝２に入り込ませる方法をとることができる。また、図２に示したように、型枠Ｆの表面側１に形成してある深溝２０にフック状部材ｆの一端を係止させて他端部を型枠Ｆの表面側１に突出させておき、この突出部に植物種子混合材Ｍを入れた袋またはネットを乗せたり、吊り下げたりして実施してもよい。
【００２８】
しかしながら、このような擁壁等の形成後における作業を回避または不要とするための手段として、例えば図４に示したように、前記混合材Ｍをソーセージ状に加圧形成したり、加圧機から所定の太さに押し出して得たものの周りを、天然繊維製の糸ｍまたは紐状物によって網筒状に包んで柔軟棒状体とし、これを必要長さ、ここでは型枠Ｆの横方向長さに合わせて裁断したものを型枠Ｆの深溝２０の中に予め押し込んであるものとして実施することもできる。
【００２９】
図５乃至図７は、以上に示した型枠の使用例について説明する図である。図５は構築現場の側面図、図６は型枠と支柱と結合金具との関係説明用斜視図、図７は型枠と支柱と固定金具との斜視図である。
【００３０】
而して、該型枠Ｆは、図５のように、コンクリート打設予定空間Ｓの前面、即ち、擁壁形成必要箇所の前面に支柱Ｐを立設し、この支柱Ｐに対して、そのコンクリート打設予定空間Ｓ側に、型枠Ｆと同形同大に形成した型枠支え枠Ｈを当てつけて、更に、そのコンクリート打設予定空間Ｓ側に、型枠Ｆのコンクリート受け面（背面）５側を向けた状態として、多数の型枠Ｆを上下左右方向に密着させながら、図６に示した結合金具Ｃを使用して連結する。また、必要に応じてその背面側には、従来工法の場合と同様に、支え金具ｐを連結して打設コンクリート圧を受け止めさせる。
【００３１】
このようにして、多数の型枠Ｆによって打設コンクリートの受け面を形成させた後、コンクリート打設予定空間Ｓにコンクリートを打設する。この具体的な手段は周知であり、前記特許文献１にも記載されている通りである。打設コンクリートの硬化後は、各型枠Ｆはコンクリートの表面に取り付けられた状態で表装層として残し、支柱Ｐと支え枠Ｈと結合金具Ｃを取り外して工事を終わる。
【００３２】
この型枠Ｆは、図６に示したように、ロッド金具４１の先端部に側面視でＬ字形となるように舌片形金具４２を連結し、該舌片形金具４２を上記型枠Ｆの深溝２０の上部に当てつけて回転させることにより、舌片の先端部を深溝２０に差し込んで、後端側に形成してある締め付けナット４３を、図７に示した座金４４を介して、その外側から締め付けて支柱Ｐに固定する。これらの図６及び図７では、説明の便宜上型枠Ｆを支柱Ｐに直接取り付けたものとして図示してある。言うまでもなく、打設コンクリート圧が小さい時は、このように型枠Ｆを支柱Ｐに直接固定させてもよいが、打設コンクリート圧が大きい場合は、図５に示したように、例えばメタルフォームのような型枠支え枠Ｈを支柱Ｐとの間に介在させることにより、打設コンクリート圧に耐えさせるように、強度を増加させて使用することができる。このように表面側に補強枠を当てつけて使用することにより、必要以上の強度を保持するものとしておく必要はない。
【００３３】
このようにして、本発明にいうところの型枠Ｆをコンクリート硬化後の擁壁の表面に残して表面を覆わせた状態としておくことによって、その後においては何らかの緑化用の手段や手数を施すことなくそのまま放置しておくだけで、時間の経過とともに、降雨等による吸湿吸水によって型枠Ｆの深溝内外に予め埋め込んだり吊り下げたりしておいた種子が発芽し、徐々に生長し、次第に擁壁の表面を緑に変えてくれることとなる。
【００３４】
本発明にいうところの型枠Ｆは、擁壁の全表面に使用する必要はなく、例えば、人目に付き易い所要の高さ部分に使用し、奥深い山地では目立ち易い一部のみに使用することとし、人目に付きにくい箇所や擁壁の高い箇所では、部分的に従来通りのコンクリート型枠を使用した工法を採用することによって、本発明にいう型枠Ｆの使用量を少なくすることも可能である。
【００３５】
図８乃至図１６は、支柱に関する説明図であって、図８は支柱の一部中断正面図、図９は同側面図、図１０は支柱構成管材の平面図、図１１は図８におけるＡ−Ａ線断面図、図１２は同斜視図、図１３はトップ金具の平面図、図１４は同正面図、図１５は同左側面図、図１６は同斜視図である。
【００３６】
而して、上記実施例に示した支柱Ｐは、特定構造のものでなければならないものではないが、次の構造のものとしておくと、前記図６に示したように、結合金具Ｃを支柱Ｐのセンター、即ち支柱Ｐの幅方向の中心部分に形成してある空間部ｓを通して金具桿４１を締め付けることができる点で好ましい。該支柱Ｐは、図１０に示したように、断面長方形の角管を支柱構成管材４５として、図８に示したように、２本対向させて配置し、その管材間に空間部ｓを形成したものである。支柱Ｐの寸法は、特定されるものではないが、参考までに、この実施例に示した支柱Ｐの場合、長さは概寸３，０００ｍｍ、図８の正面側の幅１６２ｍｍ、中間空間部の幅４６ｍｍ、前後幅１５０ｍｍである。
【００３７】
この空間部ｓは、これら両管材４５，４５の下端部に固定して位置決めするベース金具５０と、上端部に固定して位置決めするトップ金具５５とに固定したコの字形金具５２，５２によって位置を確定させ、図８，９にみられるように、これら両管材４５，４５の下端部と上端部とを、コの字形金具５２，５２に溶接したナット金具５３に対するボルト５３ｂによる締め付け固定によって形状固定してある。
【００３８】
なお、前記管材４５は、図１０のように長手方向の一面の中央部分を肉厚に形成してあり、この肉厚部をコの字形金具５２，５２に連結するようにしてある。これらの管材４５の上端部に固定するトップ金具５５は、基盤５６の下側に連接してある前記コの字形金具５２，５２の他に、基盤５６の上面には、足場形成用の管部材のような他の管材や棒部材を連結するためのボルト穴５９付きの２枚の板金具５７，５８を平面視Ｌ字形に連設したものとしてある。
【００３９】
以上本発明の代表的と思われる実施例について説明したが、本発明は必ずしもこれらの実施例に示した構造のみに限定されるものではなく、本発明にいう前記の構成要件を備えていて、本発明にいう目的を達成し、本発明にいう上記の効果を有する範囲内において、適宜に改変して実施することができるものである。
【産業上の利用可能性】
【００４０】
本発明にいうところの構築用表層型枠は、通常の土留め壁や擁壁の構築工法と全く同じ工法で使用することができるものであり、コンクリート打設後には、打設コンクリートを覆う表装層としてコンクリートの表面に残したままとしておくことによって、時間の経過とともにその表面が雑草や草花で覆われた緑化状態が得られるので、今後は大いに世上に受け入れられ、普及する可能性が大きいものである。
【図面の簡単な説明】
【００４１】
【図１】第１実施例の構築用表層型枠を示す表面側の斜視図。
【図２】同側面図。
【図３】同背面側の斜視図。
【図４】本発明の別の実施例を示す図。
【図５】構築現場の側面図。
【図６】型枠と支柱と結合金具との関係説明用斜視図。
【図７】型枠と支柱と固定金具との斜視図。
【図８】支柱の一部中断正面図。
【図９】同側面図。
【図１０】支柱構成管材の平面図。
【図１１】ベース金具の平面図。
【図１２】同斜視図。
【図１３】トップ金具の平面図。
【図１４】同正面図。
【図１５】同左側面図。
【図１６】同斜視図。
【符号の説明】
【００４２】
１  表面
１１  背面
１２  背面側コンクリート受溝
２  表面側の溝
２０  深溝
２０ａ  深溝
３１  上辺部
３２  下辺部
３３  段部
３４  下端面
Ｍ  種子混合材
ａ  上部の所定長さ部分
ｂ  下部の所定長さ部分
ｃ  最肉薄部
【図１】
0005410674.tif 000002
【図２】
0005410674.tif 000003
【図３】
0005410674.tif 000004
【図４】
0005410674.tif 000005
【図５】
0005410674.tif 000006
【図６】
0005410674.tif 000007
【図７】
0005410674.tif 000008
【図８】
0005410674.tif 000009
【図９】
0005410674.tif 000010
【図１０】
0005410674.tif 000011
【図１１】
0005410674.tif 000012
【図１２】
0005410674.tif 000013
【図１３】
0005410674.tif 000014
【図１４】
0005410674.tif 000015
【図１５】
0005410674.tif 000016
【図１６】
0005410674.tif 000017